(57)【要約】  【課題】  隣り合う睫毛根元間を先端塗布部での液状化粧料の打点により塗りつぶすことで目の輪郭を強調する化粧における煩雑さを少なくし得る化粧用塗布具を提供する。  【解決手段】  化粧すべき箇所に液状化粧料１０を打点して塗布することを可能とする先端塗布部２１ａを有する塗布体２と、塗布体２をその先端側が先端から前側に突出するように保持する保持軸１と、を備え、隣り合う睫毛根元間を先端塗布部２１ａによる液状化粧料１０の打点により塗りつぶすことで目の輪郭を強調する化粧に用いられる化粧用塗布具であって、塗布体２が、隣り合う睫毛根元間の複数箇所に対し液状化粧料１０の同時打点をし得るように、各々が先端塗布部２１ａを具備してなる複数の爪部２１を有している。【選択図】  図８
0003137562.tif 000002
【実用新案登録請求の範囲】
【請求項１】
化粧すべき箇所に液状化粧料を打点して塗布することを可能とする先端塗布部を有する塗布体と、
前記塗布体をその先端側が先端から前側に突出するように保持する保持軸と、を備え、
隣り合う睫毛根元間を前記先端塗布部による液状化粧料の打点により塗りつぶすことで目の輪郭を強調する化粧に用いられる化粧用塗布具であって、
前記塗布体が、
隣り合う睫毛根元間の複数箇所に対し液状化粧料の同時打点をし得るように、各々が前記先端塗布部を具備してなる複数の爪部を有していることを特徴とする、化粧用塗布具。
【請求項２】
前記塗布体が、
その基端側から滲入した液状化粧料を毛管力により前記先端塗布部まで移送しそこから滲出させる均質な材料からなり、
前記爪部が、
その形状及び寸法が互いに略同一であることを特徴とする、請求項１に記載の化粧用塗布具。
【請求項３】
前記爪部が、
その基端側が前記保持軸先端からその内部に挿入されるように該保持軸によって保持された一の部材の先端側に形成されていることを特徴とする、請求項２に記載の化粧用塗布具。
【請求項４】
前記爪部の前記先端塗布部のうち隣り合うもの同士の間隔寸法が0.9ｍｍから1.5ｍｍであることを特徴とする、請求項１〜３のいずれか一方に記載の化粧用塗布具。
【考案の詳細な説明】
【技術分野】
【０００１】
本考案は、主として隣り合う睫毛根元間を先端塗布部での液状化粧料の打点により塗りつぶすことで目の輪郭を強調するアイライナーとして用いられる化粧用塗布具に関する。
【背景技術】
【０００２】
従来の化粧用塗布具としては、例えば、液状化粧料が収容された保持軸と、その先端側が保持軸先端から前側に突出するように保持軸に対し装着された、先端塗布部を有する塗布体とを備えたものが開示されている（例えば、特許文献１参照）。
【特許文献１】特開平３−４７１１２号公報
【考案の開示】
【考案が解決しようとする課題】
【０００３】
ところで、上記のような従来の化粧用塗布具によれば、隣り合う睫毛根元間を先端塗布部での液状化粧料の打点により塗りつぶすことで目の輪郭を強調する化粧を行うことが可能である。
【０００４】
ここで、かかる目の輪郭を強調する化粧においては、使用者は、先端塗布部での液状化粧料の打点を隣り合う睫毛根元間というきわめて狭い各箇所に対して何度も繰り返すことが必要となり、非常に煩雑である。
【０００５】
そこで、本考案の課題は、隣り合う睫毛根元間を先端塗布部での液状化粧料の打点により塗りつぶすことで目の輪郭を強調する化粧における煩雑さを少なくすることができる化粧用塗布具を提供することにある。
【課題を解決するための手段】
【０００６】
上記課題を解決するため、本考案に係る化粧用塗布具は、 化粧すべき箇所に液状化粧料を打点して塗布することを可能とする先端塗布部を有する塗布体と、塗布体をその先端側が先端から前側に突出するように保持する保持軸と、を備え、隣り合う睫毛根元間を先端塗布部による液状化粧料の打点により塗りつぶすことで目の輪郭を強調する化粧に用いられる化粧用塗布具であって、塗布体が、隣り合う睫毛根元間の複数箇所に対し液状化粧料の同時打点をし得るように、各々が先端塗布部を具備してなる複数の爪部を有していることを特徴としている。
【０００７】
このような化粧用塗布具によれば、塗布体が各々が先端塗布部を有する複数の爪部を有しており、隣り合う睫毛根元間の複数箇所に対し液状化粧料の同時打点をすることができるので、隣り合う睫毛根元間を先端塗布部での液状化粧料の打点により塗りつぶすことで目の輪郭を強調する化粧における煩雑さを少なくすることが可能である。
【０００８】
このような技術的手段において、液状化粧料が各爪部の各先端塗布部から互いに略同量安定的に滲出してくるようにして、かかる目の輪郭を強調する化粧における煩雑さをより少なくするという観点からすれば、塗布体がその基端側から滲入した液状化粧料を毛管力により各先端塗布部まで移送しそこから滲出させる均質な材料からなり、各爪部がその形状及び寸法が互いに略同一であることが好ましい。
【０００９】
この場合において、液状化粧料が各爪部の各先端塗布部から互いに略同量安定的に滲出してくる塗布体の機能を担保するようにして、かかる目の輪郭を強調する化粧における煩雑さをより一層少なくするという観点からすれば、各爪部が、その基端側が保持軸先端からその内部に挿入されるように保持軸によって保持された一の部材の先端側に形成されていることが好ましい。
【００１０】
また、本考案による効果が十分に得られるようにする観点からすれば、各爪部の各先端塗布部のうち隣り合うもの同士の間隔寸法が0.9ｍｍから1.5ｍｍであることが好ましい。
【考案の効果】
【００１１】
本考案に係る化粧用塗布具によれば、隣り合う睫毛根元間の複数箇所に対し液状化粧料の同時打点をすることが可能となり、隣り合う睫毛根元間を先端塗布部での打点により塗りつぶすことで目の輪郭を強調する化粧をする場合における煩雑さが少なくなる。
【考案を実施するための最良の形態】
【００１２】
以下、添付図面に基づいて本考案の実施の形態を詳細に説明する。
【００１３】
◎実施の形態１
図１は本考案のこの実施の形態１の形態に係る化粧用塗布具の使用状態を示す斜視図、図２は同化粧用塗布具の概略構成を示す正面図、図３は同化粧用塗布具の概略構成を示す平面図、図４は同化粧用塗布具の全体構成を示す縦断面図、図５は同化粧用塗布具の部分構成を示す左側面図である。
【００１４】
この実施の形態１において、化粧用塗布具は、例えば隣り合う睫毛根元間を先端塗布部での液状化粧料たるアイライナー液の打点により塗りつぶすことにより目の輪郭を強調する化粧に用いられるものである。
【００１５】
そして、この化粧用塗布具は、図１〜図４に示すように、保持軸１と、塗布体２とを備えたものとして構成されている。
【００１６】
以下、これらの各構成要素についてさらに詳細に説明する。
【００１７】
（１）保持軸１
保持軸１は、図１〜図４に示すように、後述する塗布体２をその先端側が保持軸１先端から前側に突出するように保持するものであり、従来の化粧用塗布具と同様に、塗布体２のホルダーとしての役割を果たすものである。
【００１８】
この実施の形態１における保持軸１にあっては、図４に示すように、アイライナー液（図示外）を塗布体２に供給する方式として中綿式と呼ばれるものが採用されている。
【００１９】
具体的には、保持軸１は、同図に示すように、内部前側に軸線方向に移動不能に中綿体５１を収容する本体筒１１と、本体筒１１に対し前側部分が本体筒１１の先端から前側に突出するように装着され、塗布体２の途中部分の前側を保持する保持筒１２と、本体筒１１に対しその後端開口を閉塞するように装着された尾栓１３とを備えたものとして構成されている。
【００２０】
ここで、保持軸１は、同図に示すように、その内部に中綿体５１を収容しているが、この中綿体５１は、筒体５１ａ内にアイライナー液が含浸された中綿５１ｂを収容してなるものである。
【００２１】
そして、中綿体５１は、同図に示すように、中綿５１ｂの内部に後端側が挿入された塗布体２に対し必要に応じてアイライナー液を供給する役割を果たしている。
【００２２】
すなわち、保持軸１は、その内部に中綿体５１を介してアイライナー液を収容していると共に収容されたアイライナー液を適宜塗布体２に供給する役割を果たしている。
【００２３】
このように、保持軸１に塗布体２をその先端側が先端から前側に突出して保持することを要求するのは、塗布体２を保持する保持軸１が目の輪郭を強調する化粧において邪魔となる事態を有効に排除することにより、かかる化粧における煩雑さを従来品に比して確実に少なくすることが可能な化粧用塗布具とするためである。したがって、このような機能を発揮するものであれば、本発明において内部にアイライナー液の収容及び塗布体２への供給を行う保持軸１の代わりに、アイライナー液の収容及びその塗布体２への供給を行わない保持軸その他の保持軸を用いることが可能である。
【００２４】
なお、保持軸１がアイライナー液の収容及びその塗布体２への供給を行わないとき、塗布体２それ自体が、アイライナー液の収容及びその先端塗布部２１ａへの供給を行うこととなる。
【００２５】
（２）塗布体２
塗布体２は、多孔質材料からなるものであり、図４に示すように、その先端側部分が保持筒１２先端から前側に突出するように保持筒１２によってその途中部分の前側が保持されたものとして構成されている。
【００２６】
この塗布体２は、同図に示すように、先端塗布部２１ａを有するものとして構成されており、この先端塗布部２１ａは、化粧すべき箇所、つまり、隣り合う睫毛根元間に対しアイライナー液を打点して塗布することを可能とするものである。
【００２７】
したがって、このような機能を発揮するものであれば、本発明において多孔質材料からなる塗布体２の代わりに、繊維若しくはフェルト又はこれらに類似する毛状の材料からなる塗布体、筆その他の塗布体を用いることが可能である。
【００２８】
塗布体２は、図４に示すように、隣り合う睫毛根元間の複数箇所に対しアイライナー液の同時打点をすることが可能となるように、各々が先端塗布部２１ａを具備してなる複数の爪部２１を有している。
【００２９】
ここで、各爪部２１の各先端塗布部２１ａは、図４及び図５に示すように、略同一の直線上に沿って配されており、これにより、使用者が、隣り合う睫毛根元間の複数箇所に対しアイライナー液の同時打点をすることが可能となっている。
【００３０】
具体的には、塗布体２は、これらの図に示すように、各々が別個独立の棒状部材である複数の塗布部材２ａ，２ｂ，２ｃを隣り合う側面が互いに接触するように連続的に列状配置してなるものである。各爪部２１は、各塗布部材２ａ，２ｂ，２ｃの各先端側部分であって先の尖った略円錐形状に形成された部分である。それゆえ、この実施の形態１における各先端塗布部２１ａは、各塗布部材２ａ，２ｂ，２ｃの各先端部である。
【００３１】
この実施の形態１に係る塗布体２にあっては、これらの図に示すように、先ず、三つの爪部２１を有しており、隣り合う睫毛根元間の三箇所に対しアイライナー液の同時打点をし得るようになっており、これにより、本考案による効果が好適に得られるようにしている。
【００３２】
次に、隣り合う爪部２１同士の間には、図４に示すように、先端位置から後端側に凹状に後退形成された空間が確保されており、これにより、睫毛に阻まれることなく隣り合う睫毛根元間の複数箇所に対しアイライナー液の同時打点をすることが可能となっている（図５参照）。
【００３３】
そして、このような塗布体２としては、その基端側から滲入したアイライナー液を毛管力により各先端塗布部２１ａまで移送しそこから滲出させる均質な材料からなり、しかも、各爪部２１がその形状及び寸法が互いに略同一であるものが用いられており、これにより、各爪部２１の各先端塗布部２１ａからアイライナー液を互いに略同量安定的に滲出させ続けることが可能となっており、その結果、かかる目の輪郭を強調する化粧における煩雑さをより少なくすることが可能となっている（図４及び図５参照）。
【００３４】
以上のような特徴に鑑みれば、各爪部２１の各先端塗布部２１ａのうち隣り合うもの同士の間隔寸法は、0.9ｍｍから1.5ｍｍが望ましいと言える。当該間隔寸法が0.9ｍｍ未満の場合には平均的な消費者の有する隣り合う睫毛根元同士の間隔寸法に比して小さくなり過ぎるために本考案による効果が十分に得られなくなる虞があるからであり、当該間隔寸法が1.5ｍｍを超えた場合には平均的な消費者の有する隣り合う睫毛根元同士の間隔寸法に比して過度に大きくなり過ぎるために本考案による効果が十分に得られなくなる虞があるからである。ただし、当該間隔寸法はこのような範囲に限定されるものではなく、時代や地域等によって変化し得る平均的な消費者の属性その他の諸条件を加味して適宜決定される。
【００３５】
また、このように塗布体２として三つの爪部２１を有するものを採用した場合には、三つの爪部２１の各先端塗布部２１ａのうち外側に係るもの同士の間隔寸法は、1.8ｍｍから3.0ｍｍが望ましいと言える。三つの爪部２１の各先端塗布部２１ａが略同一の直線上に沿って配されているところ、当該間隔寸法が1.8ｍｍ未満の場合には平均的な消費者の有する隣り合う睫毛根元同士の間隔寸法に合致しなくなるからであり、当該間隔寸法が3.0ｍｍを超えた場合には平均的な消費者の有する目の輪郭曲線上に三つの各先端塗布部２１ａの全部を同時に位置させることが困難となるからである。ただし、当該間隔寸法はこのような範囲に限定されるものではなく、時代や地域等によって変化し得る平均的な消費者の属性その他の諸条件を加味して適宜決定される。
【００３６】
上記したように、この実施の形態１における化粧用塗布具によれば、塗布体２が各々が略同一の直線上に沿って配された先端塗布部２１ａを有する複数の爪部２１を有しているため、隣り合う睫毛根元間の複数箇所に対しアイライナー液の同時打点をすることが可能となっている。
【００３７】
したがって、このような化粧用塗布具によれば、隣り合う睫毛根元間を先端塗布部２１ａによるアイライナー液の打点により塗りつぶすことにより目の輪郭を強調する化粧をする場合における煩雑さを少なくすることが可能となっている。
【００３８】
◎実施の形態２
図６は本考案のこの実施の形態２の形態に係る化粧用塗布具の概略構成を示す正面図、図７は同化粧用塗布具の概略構成を示す平面図、図８は同化粧用塗布具の全体構成を示す縦断面図、図９は同化粧用塗布具の部分構成を示す左側面図である。なお、実施の形態１と同様な構成要素については実施の形態１と同様な符号を付してここではその詳細な説明を省略する。
【００３９】
この実施の形態２に係る化粧用塗布具の基本構成は、実施の形態１と略同様である。
【００４０】
しかし、第一に、この化粧用塗布具は、保持軸１においてアイライナー液１０を塗布体２に供給する方式として蛇腹式と呼ばれるものが採用されている点で、中綿式と呼ばれるものが採用されている実施の形態１に係る化粧用塗布具と異なっている。
【００４１】
具体的には、保持軸１は、図８に示すように、後側にアイライナー液１０が収容された液収容部１４ａを有する筒状の容器本体１４と、容器本体１４に対しその先端から前側に突出するように軸線方向に移動不能に装着されたカートリッジ１５と、容器本体１４に対しその後端開口を閉塞するように装着された尾栓１６とを備えたものとして構成されている。
【００４２】
このようなカートリッジ１５は、同図に示すように、塗布体２をその先端側が先端から前側に突出するように保持するカートリッジ筒１５ａと、カートリッジ筒１５ａに対しその後端開口を閉塞するように装着された尾栓１５ｂとからなっている。
【００４３】
ここで、カートリッジ筒１５ａは、同図に示すように、その内部に中間体６１を収容しているが、この中間体６１は、後端部が収容部内のアイライナー液１０に接触し、かつ、先端部が塗布体２に接触するように固定され液収容部１４ａ内のアイライナー液１０を塗布体２まで誘導する誘導芯６１ａと、誘導芯６１ａの後端側がその周囲に隙間が出来ないように貫通する後端側貫通孔が設けられ、液収容部１４ａの前端を画するように仕切る仕切部６１ｂと、仕切部６１ｂの後端側貫通孔周辺部から前側に向かって筒状（円筒状）に延設され誘導芯６１ａの外周部を保持する第一の保持部６１ｃと、誘導芯６１ａの先端側がその周囲に隙間が出来ないように貫通する先端側貫通孔が設けられた底部及びこの底部の外周部から前側に向かって筒状（円筒状）に延設された筒状部からなり、塗布体２の後端部及び外周部を保持する第二の保持部６１ｄと、過剰なアイライナー液１０を一時的に貯留する一時貯留部６１ｅと、を備えたものとして構成されている。
【００４４】
なお、一時貯留部６１ｅは、同図に示すように、第一の保持部６１ｃの外周部に対し軸線方向に隙間をおいて配設された複数の枚葉体及び第一の保持部６１ｃにおいて軸線方向に延びるスリット（図示外）であって第一の保持部６１ｃの内外の空間を連通させるものを形成してなるものである。このような一時貯留部６１ｅにより、外気の温度変化や収容部内の内圧変化が生じた場合に、収容部内のアイライナー液１０を枚葉体間の隙間内に一時的に貯留することが可能となる。
【００４５】
しかし、この実施の形態２に係る化粧用塗布具は、保持軸１が、その内部に液収容部１４ａを設けてアイライナー液１０を収容していると共に収容されたアイライナー液１０を適宜塗布体２に供給する役割を果たしている点では、実施の形態１に係る化粧用塗布具と異なるところがない。
【００４６】
また、第二に、この実施の形態２に係る化粧用塗布具は、図８に示すように、塗布体２が、複数の各爪部２１がその基端側がカートリッジ筒１５ａ先端からその内部に挿入されるように第二の保持部６１ｄによって保持された一の部材の先端側に形成されている点で、実施の形態１に係る化粧用塗布具と異なっている。
【００４７】
しかし、この実施の形態２に係る化粧用塗布具は、図８及び図９に示すように、各爪部２１の各先端塗布部２１ａが略同一の直線上に沿って配されている点、各爪部２１が略円錐状に形成されている点で、隣り合う爪部２１同士の間に先端位置から後端側に凹状に後退形成された空間を有する点、塗布体２全体が所定の機能を発揮する均質な材料からなり、各爪部２１の形状及び外形寸法が互いに同一である点では、実施の形態１に係る化粧用塗布具と異なるところがない。
【００４８】
したがって、この実施の形態２に係る化粧用塗布具によっても、塗布体２及び保持軸１が実施の形態１における塗布体２及び保持軸１と略同様な機能を発揮するので、実施の形態２に係る化粧用塗布具と同様な効果が得られることが可能となっている。
【図面の簡単な説明】
【００４９】
【図１】本考案のこの実施の形態１の形態に係る化粧用塗布具の使用状態を示す斜視図である。
【図２】同化粧用塗布具の概略構成を示す正面図である。
【図３】同化粧用塗布具の概略構成を示す平面図である。
【図４】同化粧用塗布具の全体構成を示す縦断面図である。
【図５】同化粧用塗布具の部分構成を示す左側面図である。
【図６】本考案のこの実施の形態２の形態に係る化粧用塗布具の概略構成を示す正面図である。
【図７】同化粧用塗布具の概略構成を示す平面図である。
【図８】同化粧用塗布具の全体構成を示す縦断面図である。
【図９】同化粧用塗布具の部分構成を示す左側面図である。
【符号の説明】
【００５０】
１ 保持軸
２ 塗布体
２ａ，２ｂ，２ｃ 塗布部材
１０ アイライナー液
１１ 本体筒
１２ 保持筒
１３ 尾栓
１４ 容器本体
１４ａ 液収容部
１５ カートリッジ
１５ａ カートリッジ筒
１５ｂ 尾栓
１６ 尾栓
２１ 爪部
２１ａ 先端塗布部
５１ 中綿体
５１ａ 筒体
５１ｂ 中綿
６１ 中間体
６１ａ 誘導芯
６１ｂ 仕切部
６１ｃ 第一の保持部
６１ｄ 第二の保持部
６１ｅ 一時貯留部
【図１】
0003137562.tif 000003
【図２】
0003137562.tif 000004
【図３】
0003137562.tif 000005
【図４】
0003137562.tif 000006
【図５】
0003137562.tif 000007
【図６】
0003137562.tif 000008
【図７】
0003137562.tif 000009
【図８】
0003137562.tif 000010
【図９】
0003137562.tif 000011